(57)【要約】      （修正有）【課題】基地局、ユーザ装置及び制御信号フォーマット情報の伝送方法を提供する。【解決手段】制御信号フォーマット情報の伝送方法において、基地局は取得ステップにて、下りリンク制御情報ＤＣＩとキャリア情報ＣＩとを取得する、計算ステップにて、上記ＤＣＩとＣＩとに基づいて巡回冗長検査ＣＲＣコードを計算し、ＤＣＩ、ＣＩ及びＣＲＣコードから中間データシーケンスを構成、中間データシーケンスを変換して送信データシーケンスを取得して送信することによって、対象ユーザ装置が自局の識別ＩＤ及び上記変換処理に対応する手段に基づいて、制御信号フォーマット情報の現在の値を再生することができる。対象ユーザ装置以外のユーザ装置が、自局の識別ＩＤ及び上記変換処理に対応する手段に基づいて、制御信号フォーマット情報の現在の値を再生することができないようにする。【選択図】図３
2011166760.tif 000002
【特許請求の範囲】
【請求項１】
制御信号フォーマット情報の伝送方法であって、
基地局は、
下りリンク制御情報ＤＣＩとキャリア情報ＣＩとを取得する取得ステップと、
前記ＤＣＩとＣＩとに基づいて巡回冗長検査ＣＲＣコードを計算し、前記ＤＣＩ、ＣＩおよびＣＲＣコードから形成される第１中間データシーケンスを構成する計算ステップと、
制御信号フォーマット情報の値と対象ユーザ装置の識別ＩＤを用いて前記第１中間データシーケンスを送信データシーケンスに変換してユーザ装置に送信する変換送信ステップと
を有し、
ユーザ装置は、
自局の識別ＩＤ、及び制御信号フォーマット情報の複数の所定値を用いてそれぞれ前記送信データシーケンスに対して逆変換処理を行ない、前記制御信号フォーマット情報の複数の所定値に一対一に対応する第２中間データシーケンスを再生するステップと、
前記第２中間データシーケンスにおいて巡回冗長検査エラー無しと判断されたデータシーケンスが存在する場合、巡回冗長検査エラー無しと判断された第２中間データシーケンスにおけるＤＣＩ及び巡回冗長検査エラー無しと判断されたデータシーケンスに対応する制御信号フォーマット情報の所定値を取り込むステップと
を含むことを特徴とする伝送方法。
【請求項２】
前記基地局における変換送信ステップは、
対象ユーザ装置の識別ＩＤを第１データシーケンスとし、前記第１データシーケンスを用いて前記第１中間データシーケンス中の第１サブシーケンスに対してマスク操作を行ない、前記制御信号フォーマット情報の値に対して一義的に対応付けられたデータシーケンスを第２データシーケンスとし、前記第２データシーケンスを用いて前記第１中間データシーケンスにおける、前記第１サブシーケンスとは異なる第２サブシーケンスに対してマスク操作を行ない、第１送信データシーケンスを取得する第１のマスク処理ステップと、
前記第１送信データシーケンスを送信する第１の送信ステップと
を含むことを特徴とする請求項１に記載の伝送方法。
【請求項３】
前記第２データシーケンスは、制御信号フォーマット情報の値、又は、制御信号フォーマット情報の値に一義的に対応付けられているデータシーケンス、又は、制御信号フォーマット情報の値と対象ユーザ装置ＩＤとの和であることを特徴とする請求項２に記載の伝送方法。
【請求項４】
前記基地局における変換送信ステップは、
前記制御信号フォーマット情報の値に一義的に対応付けられているシフトビット数で前記第１中間データシーケンスの一部又は全部に対して循環シフト処理を行ない、第３中間データシーケンスを取得する第１の循環シフト処理ステップと、
対象ユーザ装置の識別ＩＤを第１データシーケンスとし、前記第１データシーケンスを利用して、前記第３中間データシーケンス中の少なくとも一つのサブシーケンスに対してマスク操作を行なって第２送信データシーケンスを生成する第２のマスク処理ステップと、
前記第２送信データシーケンスを送信する第２の送信ステップと
を含むことを特徴とする請求項１に記載の伝送方法。
【請求項５】
前記基地局における変換送信ステップは、
前記制御信号フォーマット情報の値に一義的に対応付けられているシフトビット数を用いて、予め定められたデータシーケンスに対して循環シフト処理を行ない、マスク用データシーケンスを得る第２の循環シフト処理ステップと、
対象ユーザ装置の識別ＩＤを第１データシーケンスとし、前記マスク用データシーケンスと第１データシーケンスを利用して、前記第１中間データシーケンス中の第１サブシーケンス及び第２サブシーケンスに対してそれぞれマスク操作を行なって第３の送信データシーケンスを生成する第３のマスク処理ステップと、
前記第３送信データシーケンスを送信する第３の送信ステップと
を含むことを特徴とする請求項１に記載の伝送方法。
【請求項６】
前記基地局における変換送信ステップは、
対象ユーザ装置の識別ＩＤを第１データシーケンスとし、前記第１データシーケンスを利用して、前記第１中間データシーケンス中の少なくとも一つのサブシーケンスに対してマスク操作を行なって第４中間データシーケンスを生成する第４のマスク処理ステップと、
前記制御信号フォーマット情報の値に一義的に対応付けられているシフトビット数で前記第４中間データシーケンスの一部又は全部に対して循環シフト処理を行ない、第４送信データシーケンスを取得する第３の循環シフト処理ステップと、
前記第４送信データシーケンスを送信する第４の送信ステップと
を含むことを特徴とする請求項１に記載の伝送方法。
【請求項７】
制御信号フォーマット情報の伝送方法であって、
基地局は、下りリンク制御情報ＤＣＩとキャリア情報ＣＩとを取得する取得ステップと、
基地局は、前記ＤＣＩとＣＩとに基づいて巡回冗長検査ＣＲＣコードを計算し、前記ＤＣＩ、ＣＩおよびＣＲＣコードから形成される第１中間データシーケンスを構成する計算ステップと、
基地局は、制御信号フォーマット情報の値と対象ユーザ装置の識別ＩＤを用いて前記第１中間データシーケンスを送信データシーケンスに変換してユーザ装置に送信することにより、ユーザ装置において、自局の識別ＩＤ、及び制御信号フォーマット情報の複数の所定値を用いてそれぞれ前記送信データシーケンスに対して逆変換処理を行ない、前記制御信号フォーマット情報の複数の所定値に一対一に対応する第２中間データシーケンスを再生し、前記第２中間データシーケンスにおいて巡回冗長検査エラー無しと判断されたデータシーケンスが存在する場合、巡回冗長検査エラー無しと判断された第２中間データシーケンスにおけるＤＣＩ及び巡回冗長検査エラー無しと判断されたデータシーケンスに対応する制御信号フォーマット情報の所定値を取り込むようにする変換送信ステップと
を含むことを特徴とする伝送方法。
【請求項８】
前記基地局における変換送信ステップは、
対象ユーザ装置の識別ＩＤを第１データシーケンスとし、前記第１データシーケンスを用いて前記第１中間データシーケンス中の第１サブシーケンスに対してマスク操作を行ない、前記制御信号フォーマット情報の値に対して一義的に対応付けられたデータシーケンスを第２データシーケンスとし、前記第２データシーケンスを用いて前記第１中間データシーケンスにおける、前記第１サブシーケンスとは異なる第２サブシーケンスに対してマスク操作を行ない、第１送信データシーケンスを取得する第１のマスク処理ステップと、
前記第１送信データシーケンスを送信する第１の送信ステップと
を含むことを特徴とする請求項７に記載の伝送方法。
【請求項９】
前記第２データシーケンスは、制御信号フォーマット情報の値、又は、制御信号フォーマット情報の値に一義的に対応付けられているデータシーケンス、又は、制御信号フォーマット情報の値と対象ユーザ装置ＩＤとの和であることを特徴とする請求項８に記載の伝送方法。
【請求項１０】
前記基地局における変換送信ステップは、
前記制御信号フォーマット情報の値に一義的に対応付けられているシフトビット数で前記第１中間データシーケンスの一部又は全部に対して循環シフト処理を行ない、第３中間データシーケンスを取得する第１の循環シフト処理ステップと、
対象ユーザ装置の識別ＩＤを第１データシーケンスとし、前記第１データシーケンスを利用して、前記第３中間データシーケンス中の少なくとも一つのサブシーケンスに対してそれぞれマスク操作を行なって第２送信データシーケンスを生成する第２のマスク処理ステップと、
前記第２送信データシーケンスを送信する第２の送信ステップと
を含むことを特徴とする請求項７に記載の伝送方法。
【請求項１１】
前記基地局における変換送信ステップは、
前記制御信号フォーマット情報の値に一義的に対応付けられているシフトビット数を用いて、予め定められたデータシーケンスに対して循環シフト処理を行ない、マスク用データシーケンスを得る第２の循環シフト処理ステップと、
対象ユーザ装置の識別ＩＤを第１データシーケンスとし、前記マスク用データシーケンスと第１データシーケンスを利用して、前記第１中間データシーケンス中の第１サブシーケンス及び第２サブシーケンスに対してそれぞれマスク操作を行なって第３送信データシーケンスを生成する第３のマスク処理ステップと、
前記第３送信データシーケンスを送信する第３の送信ステップと
を含むことを特徴とする請求項７に記載の伝送方法。
【請求項１２】
前記基地局における変換送信ステップは、
対象ユーザ装置の識別ＩＤを第１データシーケンスとし、前記第１データシーケンスを利用して、前記第１中間データシーケンス中の少なくとも一つのサブシーケンスに対してマスク操作を行なって第４中間データシーケンスを生成する第４のマスク処理ステップと、
前記制御信号フォーマット情報の値に一義的に対応付けられているシフトビット数で前記第４中間データシーケンスの一部又は全部に対して循環シフト処理を行ない、第４送信データシーケンスを取得する第３の循環シフト処理ステップと、
前記第４送信データシーケンスを送信する第４の送信ステップと
を含むことを特徴とする請求項７に記載の伝送方法。
【請求項１３】
下りリンク制御情報ＤＣＩとキャリア情報ＣＩとを取得する取得モジュールと、
前記ＤＣＩとＣＩとに基づいて巡回冗長検査ＣＲＣコードを計算し、前記ＤＣＩ、ＣＩ及びＣＲＣコードから形成される第１中間データシーケンスを生成する計算モジュールと、
制御信号フォーマット情報の値と対象ユーザ装置の識別ＩＤを用いて前記第１中間データシーケンスを送信データシーケンスに変換してユーザ装置に送信する変換送信モジュールと
を含むことを特徴とする基地局。
【請求項１４】
前記変換送信モジュールには、
対象ユーザ装置の識別ＩＤを第１送信データシーケンスとし、第１送信データシーケンスを利用して、前記第１中間データシーケンス中の第１サブシーケンスに対してマスク操作を行ない、前記制御信号フォーマット情報の値に一義的に対応付けられているデータシーケンスを第２データシーケンスとし、前記第２データシーケンスを利用して、前記第１中間データシーケンスにおける、前記第１サブシーケンスとは異なる第２サブシーケンスに対してマスク操作を行ない、第１送信データシーケンスを取得する第１のマスク処理手段と、
前記第１送信データシーケンスを送信する第１の送信手段と
を含むことを特徴とする請求項１３に記載の基地局。
【請求項１５】
前記第２データシーケンスは、制御信号フォーマット情報の値、又は、制御信号フォーマット情報の値に一義的に対応付けられているデータシーケンス、又は、制御信号フォーマット情報の値と対象ユーザ装置ＩＤとの和であることを特徴とする請求項１４に記載の基地局。
【請求項１６】
前記変換送信モジュールは、
前記制御信号フォーマット情報の値に一義的に対応付けられているシフトビット数で前記第１中間データシーケンスの一部又は全部に対して循環シフト処理を行ない、第３中間データシーケンスを取得する第１の循環シフト処理手段と、
対象ユーザ装置の識別ＩＤを第１データシーケンスとし、前記第１データシーケンスを利用して、前記第３中間データシーケンス中の少なくとも一つのサブシーケンスに対してマスク操作を行なって第２送信データシーケンスを生成する第２のマスク処理手段と、
前記第２送信データシーケンスを送信する第２の送信手段と
を含むことを特徴とする請求項１３に記載の基地局。
【請求項１７】
前記変換送信モジュールは、
前記制御信号フォーマット情報の値に一義的に対応付けられているシフトビット数を用いて、予め定められたデータシーケンスに対して循環シフト処理を行ない、マスク用データシーケンスを得る第２の循環シフト処理手段と、
対象ユーザ装置の識別ＩＤを第１データシーケンスとし、前記マスク用データシーケンス及び第１データシーケンスを利用して、前記第１中間データシーケンス中の第１サブシーケンス及び第２サブシーケンスに対してそれぞれマスク操作を行なって第３送信データシーケンスを生成する第３のマスク処理手段と、
前記第３の送信データシーケンスを送信する第３の送信手段と
を含むことを特徴とする請求項１３に記載の基地局。
【請求項１８】
前記変換送信モジュールは、
対象ユーザ装置の識別ＩＤを第１データシーケンスとし、前記第１データシーケンスを利用して、前記第１中間データシーケンス中の少なくとも一つのサブシーケンスに対してマスク操作を行なって第４中間データシーケンスを生成する第４のマスク処理手段と、
前記制御信号フォーマット情報の値に一義的に対応付けられているシフトビット数で前記第４中間データシーケンスの一部又は全部に対して循環シフト処理を行ない、第４中間データシーケンスを取得する第３の循環シフト処理手段と、
前記第４送信データシーケンスを送信する第４の送信手段と
を含むことを特徴とする請求項１３に記載の基地局。
【請求項１９】
自局の識別ＩＤ、及び制御信号フォーマット情報の複数の所定値を用いてそれぞれ送信データシーケンスに対して逆変換処理を行ない、前記制御信号フォーマット情報の複数の所定値に一対一に対応する第２中間データシーケンスを再生する再生モジュールと、
前記第２中間データシーケンスにおいて巡回冗長検査エラー無しと判断されたデータシーケンスが存在する場合、巡回冗長検査エラー無しと判断された第２中間データシーケンスにおけるＤＣＩ及び巡回冗長検査エラー無しと判断されたデータシーケンスに対応する制御信号フォーマット情報の所定値を取り込む取り込むモジュールと
を含むユーザ装置であって、
前記送信データシーケンスは、
基地局が、取得した下りリンク制御情報ＤＣＩとキャリア情報ＣＩとに基づいて巡回冗長検査ＣＲＣコードを計算し、前記ＤＣＩ、ＣＩおよびＣＲＣコードから形成される第１中間データシーケンスを構成した後、制御信号フォーマット情報の値と対象ユーザ装置の識別ＩＤを用いて前記第１中間データシーケンスを変換して得たデータシーケンスであることを特徴とするユーザ装置。
【請求項２０】
前記送信データシーケンスは、
対象ユーザ装置の識別ＩＤを第１データシーケンスとし、前記第１データシーケンスを用いて前記第１中間データシーケンス中の第１サブシーケンスに対してマスク操作を行ない、前記制御信号フォーマット情報の値に対して一義的に対応付けられたデータシーケンスを第２データシーケンスとし、前記第２データシーケンスを用いて前記第１中間データシーケンスにおける、前記第１サブシーケンスとは異なる第２サブシーケンスに対してマスク操作を行なって得たデータシーケンスであることを特徴とする請求項１９に記載のユーザ装置。
【請求項２１】
前記第２データシーケンスは、制御信号フォーマット情報の値、又は、制御信号フォーマット情報の値に一義的に対応付けられているデータシーケンス、又は、制御信号フォーマット情報の値と対象ユーザ装置ＩＤとの和であることを特徴とする請求項２０に記載のユーザ装置。
【請求項２２】
前記送信データシーケンスは、
対象ユーザ装置の識別ＩＤを第１データシーケンスとし、前記第１データシーケンスを利用して、第３中間データシーケンス中の少なくとも一つのサブシーケンスに対してマスク操作を行なって得たデータシーケンスであり、
前記第３中間データシーケンスは、
前記制御信号フォーマット情報の値に一義的に対応付けられているシフトビット数で前記第１中間データシーケンスの一部又は全部に対して循環シフト処理を行なって得たデータシーケンスであることを特徴とする請求項１９に記載のユーザ装置。
【請求項２３】
前記送信データシーケンスは、
対象ユーザ装置の識別ＩＤを第１データシーケンスとし、マスク用データシーケンスと第１データシーケンスを利用して、前記第１中間データシーケンス中の第１サブシーケンス及び第２サブシーケンスに対してそれぞれマスク操作を行なって得たデータシーケンスであり、
前記マスク用データシーケンスは、
前記制御信号フォーマット情報の値に一義的に対応付けられているシフトビット数を用いて、予め定められたデータシーケンスに対して循環シフト処理を行なって得たデータシーケンスであることを特徴とする請求項１９に記載のユーザ装置。
【請求項２４】
前記送信データシーケンスは、
前記制御信号フォーマット情報の値に一義的に対応付けられているシフトビット数で第４中間データシーケンスの一部又は全部に対して循環シフト処理を行なって得たデータシーケンスであり、
前記第４中間データシーケンスは、対象ユーザ装置の識別ＩＤを第１データシーケンスとし、前記第１データシーケンスを利用して、前記第１中間データシーケンス中の少なくとも一つのサブシーケンスに対してマスク操作を行なって得たデータシーケンスであることを特徴とする請求項１９に記載のユーザ装置。
【発明の詳細な説明】
【技術分野】
【０００１】
本発明は、移動通信システムに係り、特に基地局、ユーザ装置及び制御信号フォーマット情報の伝送方法に関する。
【背景技術】
【０００２】
キャリアを跨いだスケジューリングでは、一つのキャリア上の物理的下りリンク制御チャネルＰＤＣＣＨ（Physical  Downlink  Control  Channel）によって、別のキャリア上の資源をユーザに割り当てることができ、そのため、資源割当ての柔軟性を大きく向上させることができる。
【０００３】
図１に示すように、キャリアを跨いでスケジューリングする場合、ユーザ装置の受信フローには、下記のステップを含む。
【０００４】
ステップ１１において、ユーザ装置は、第１キャリア上の物理的制御フォーマット指示チャネルＰＣＦＩＣＨ（Physical  Control  Format  Indicator  Channel）を検出して、ＰＤＣＣＨに占有された資源を取得する。
【０００５】
ステップ１２において、ユーザ装置は、取得した、ＰＤＣＣＨに占有された資源に基づいて、第１キャリア上のＰＤＣＣＨを検出して、物理的下りリンク共有チャネルＰＤＳＣＨ（Physical  Downlink  Shared  Channel）の資源割当て情報を取得する。キャリアを跨いだスケジューリングの場合、ＰＤＳＣＨの資源が第２キャリア上に割り当てられるという結果になる。
【０００６】
ステップ１３において、ユーザ装置は、第２キャリア上のＰＣＦＩＣＨを検出し、ＰＤＣＣＨに占有された資源を取得することにより、ＰＤＳＣＨ資源の開始位置を得る。
【０００７】
ステップ１４において、ユーザ装置は、第２キャリア上のＰＤＳＣＨを検出し、データ情報を取得する。
【０００８】
ステップ１１において、ユーザ装置は、ＰＤＣＣＨのＣＲＣが正しいか否かを通じてＰＤＣＣＨの検出が正しいか否かを判断できる。ＰＤＣＣＨの検出が正しい場合、ＰＣＦＩＣＨの検出が正しいであることを暗黙的に示す。
【０００９】
しかし、ステップ１３において、ユーザ装置は、第２キャリア上にＰＤＣＣＨがない可能性がある。従って、ユーザ装置は、ステップ１３で検出したＰＣＦＩＣＨが正しいか否かを知りえない。ＰＣＦＩＣＨの検出が誤まると、ユーザは、正しいＰＤＳＣＨの開始位置を得ることができず、そのため、ＰＤＳＣＨの誤検出を招く。検出が誤まると、同時にユーザが誤まったデータをバッファして再送合併に用い、後続する再送合併が誤まることを招く。
【００１０】
この問題を解決するために、現在、下記の複数の解決案がある。
【００１１】
明示的なシグナリング通知案について：
明示的なシグナリング通知案では、基地局は、下りリンク制御情報ＤＣＩ（Downlink  Control  Information）に制御信号フォーマットＣＦＩ（Control  Format  Indicator）情報を指示するためのフィールドを追加し、ＰＣＦＩＣＨに付随するＣＦＩの値を、直接該フィールドを通じてユーザ装置に通知する。
【００１２】
しかし、上記の明示的なシグナリング通知案では、下りリンクシグナリングオーバーヘッドの増加が必要であることは明らかである。
【００１３】
隠し式ＣＲＣマスク処理案について：
隠し式ＣＲＣマスク処理案では、基地局は、ＣＦＩ情報をＣＲＣのマスクに隠して含ませる。該案では、新しいシグナリングの追加を必要としないが、誤検出の問題やユーザの公平性が低下するという問題が生じる。以下説明する。
【００１４】
下記の手段、即ち、ユーザ装置の識別ＩＤとＣＦＩの値を加算してから１を減算することにより、ＣＦＩ情報をＣＲＣのマスクに隠して含ませる。
【００１５】
上記の隠し式ＣＲＣマスク処理案において、ユーザ装置Ａ、Ｂ、Ｃの端末ＩＤが隣接し、それぞれＸ、Ｘ＋１、Ｘ＋２とする。すると、ユーザ装置Ｂ宛に送信されたＣＦＩ＝２のＰＤＣＣＨに対して、ユーザ装置ＡとＣには、誤検出が生じる。即ち、ユーザ装置Ａは、ＰＤＣＣＨが自局に送信されるものであると誤検出し、且つＣＦＩが３であり、一方、ユーザ装置Ｃは、ＰＤＣＣＨが自局に送信されるものであると誤検出し、且つＣＦＩが１である。
【００１６】
上記記載から分かるように、隠し式ＣＲＣマスク処理案において、隣接ＩＤを有するユーザ間に誤検出が生じる。ユーザのＩＤが一定期間内に一定に保つため、隣接ＩＤを有するユーザがセル内に存在すると、該２つのユーザの性能は、該期間内に非常に悪くなる。一方、他のユーザの性能は、誤検出からの影響を受けず、一定に保つ。従って、隠し式ＣＲＣマスク処理案の場合、ユーザ間の公平性を保証できない。
【発明の概要】
【発明が解決しようとする課題】
【００１７】
本発明は、基地局、ユーザ装置及び制御信号フォーマット情報の伝送方法を提供して、シグナリングオーバーヘッドを増加させない前提で、ユーザの誤検出の確率を低下させると共に、ユーか間の公平性を保証することを目的とする。
【課題を解決するための手段】
【００１８】
上記目的を実現するために、本発明の実施例は、制御信号フォーマット情報の伝送方法を提供する。制御信号フォーマット情報の伝送方法において、基地局は、下りリンク制御情報ＤＣＩとキャリア情報ＣＩとを取得する取得ステップと、前記ＤＣＩとＣＩとに基づいて巡回冗長検査ＣＲＣコードを計算し、前記ＤＣＩ、ＣＩおよびＣＲＣコードから形成される第１中間データシーケンスを構成する計算ステップと、制御信号フォーマット情報の値と対象ユーザ装置の識別ＩＤを用いて前記第１中間データシーケンスを送信データシーケンスに変換してユーザ装置に送信する変換送信ステップとを有し、ユーザ装置は、自局の識別ＩＤ、及び制御信号フォーマット情報の複数の所定値を用いてそれぞれ前記送信データシーケンスに対して逆変換処理を行ない、前記制御信号フォーマット情報の複数の所定値に一対一に対応する第２中間データシーケンスを再生するステップと、前記第２中間データシーケンスにおいて巡回冗長検査エラー無しと判断されたデータシーケンスが存在する場合、巡回冗長検査エラー無しと判断された第２中間データシーケンスにおけるＤＣＩ及び巡回冗長検査エラー無しと判断されたデータシーケンスに対応する制御信号フォーマット情報の所定値を取り込むステップとを含む。
【００１９】
前記伝送方法において、前記基地局における変換送信ステップは、対象ユーザ装置の識別ＩＤを第１データシーケンスとし、前記第１データシーケンスを用いて前記第１中間データシーケンス中の第１サブシーケンスに対してマスク操作を行ない、前記制御信号フォーマット情報の値に対して一義的に対応付けられたデータシーケンスを第２データシーケンスとし、前記第２データシーケンスを用いて前記第１中間データシーケンスにおける、前記第１サブシーケンスとは異なる第２サブシーケンスに対してマスク操作を行ない、第１送信データシーケンスを取得する第１のマスク処理ステップと、前記第１送信データシーケンスを送信する第１の送信ステップとを含む。
【００２０】
前記伝送方法において、前記第２データシーケンスは、制御信号フォーマット情報の値、又は、制御信号フォーマット情報の値に一義的に対応付けられているデータシーケンス、又は、制御信号フォーマット情報の値と対象ユーザ装置ＩＤとの和である。
【００２１】
前記伝送方法において、前記基地局における変換送信ステップは、前記制御信号フォーマット情報の値に一義的に対応付けられているシフトビット数で前記第１中間データシーケンスの一部又は全部に対して循環シフト処理を行ない、第３中間データシーケンスを取得する第１の循環シフト処理ステップと、対象ユーザ装置の識別ＩＤを第１データシーケンスとし、前記第１データシーケンスを利用して、前記第３中間データシーケンス中の少なくとも一つのサブシーケンスに対してマスク操作を行なって第２送信データシーケンスを生成する第２のマスク処理ステップと、前記第２送信データシーケンスを送信する第２の送信ステップとを含む。
【００２２】
前記伝送方法において、前記基地局における変換送信ステップは、前記制御信号フォーマット情報の値に一義的に対応付けられているシフトビット数を用いて、予め定められたデータシーケンスに対して循環シフト処理を行ない、マスク用データシーケンスを得る第２の循環シフト処理ステップと、対象ユーザ装置の識別ＩＤを第１データシーケンスとし、前記マスク用データシーケンスと第１データシーケンスを利用して、前記第１中間データシーケンス中の第１サブシーケンス及び第２サブシーケンスに対してそれぞれマスク操作を行なって第３の送信データシーケンスを生成する第３のマスク処理ステップと、前記第３送信データシーケンスを送信する第３の送信ステップとを含む。
【００２３】
前記伝送方法において、前記基地局における変換送信ステップは、対象ユーザ装置の識別ＩＤを第１データシーケンスとし、前記第１データシーケンスを利用して、前記第１中間データシーケンス中の少なくとも一つのサブシーケンスに対してマスク操作を行なって第４中間データシーケンスを生成する第４のマスク処理ステップと、前記制御信号フォーマット情報の値に一義的に対応付けられているシフトビット数で前記第４中間データシーケンスの一部又は全部に対して循環シフト処理を行ない、第４送信データシーケンスを取得する第３の循環シフト処理ステップと、前記第４送信データシーケンスを送信する第４の送信ステップとを含む。
【００２４】
上記目的を更に実現するために、本発明実施例は、更に制御信号フォーマット情報の伝送方法を提供する。制御信号フォーマット情報の伝送方法において、基地局は、下りリンク制御情報ＤＣＩとキャリア情報ＣＩとを取得する取得ステップと、基地局は、前記ＤＣＩとＣＩとに基づいて巡回冗長検査ＣＲＣコードを計算し、前記ＤＣＩ、ＣＩおよびＣＲＣコードから形成される第１中間データシーケンスを構成する計算ステップと、基地局は、制御信号フォーマット情報の値と対象ユーザ装置の識別ＩＤを用いて前記第１中間データシーケンスを送信データシーケンスに変換してユーザ装置に送信することにより、ユーザ装置において、自局の識別ＩＤ、及び制御信号フォーマット情報の複数の所定値を用いてそれぞれ前記送信データシーケンスに対して逆変換処理を行ない、前記制御信号フォーマット情報の複数の所定値に一対一に対応する第２中間データシーケンスを再生し、前記第２中間データシーケンスにおいて巡回冗長検査エラー無しと判断されたデータシーケンスが存在する場合、巡回冗長検査エラー無しと判断された第２中間データシーケンスにおけるＤＣＩ及び巡回冗長検査エラー無しと判断されたデータシーケンスに対応する制御信号フォーマット情報の所定値を取り込むようにする変換送信ステップとを含む。
【００２５】
前記伝送方法において、前記基地局における変換送信ステップは、対象ユーザ装置の識別ＩＤを第１データシーケンスとし、前記第１データシーケンスを用いて前記第１中間データシーケンス中の第１サブシーケンスに対してマスク操作を行ない、前記制御信号フォーマット情報の値に対して一義的に対応付けられたデータシーケンスを第２データシーケンスとし、前記第２データシーケンスを用いて前記第１中間データシーケンスにおける、前記第１サブシーケンスとは異なる第２サブシーケンスに対してマスク操作を行ない、第１送信データシーケンスを取得する第１のマスク処理ステップと、前記第１送信データシーケンスを送信する第１の送信ステップとを含む。
【００２６】
前記伝送方法において、前記第２データシーケンスは、制御信号フォーマット情報の値、又は、制御信号フォーマット情報の値に一義的に対応付けられているデータシーケンス、又は、制御信号フォーマット情報の値と対象ユーザ装置ＩＤとの和である。
【００２７】
前記伝送方法において、前記基地局における変換送信ステップは、前記制御信号フォーマット情報の値に一義的に対応付けられているシフトビット数で前記第１中間データシーケンスの一部又は全部に対して循環シフト処理を行ない、第３中間データシーケンスを取得する第１の循環シフト処理ステップと、対象ユーザ装置の識別ＩＤを第１データシーケンスとし、前記第１データシーケンスを利用して、前記第３中間データシーケンス中の少なくとも一つのサブシーケンスに対してそれぞれマスク操作を行なって第２送信データシーケンスを生成する第２のマスク処理ステップと、前記第２送信データシーケンスを送信する第２の送信ステップとを含む。
【００２８】
前記伝送方法において、前記基地局における変換送信ステップは、前記制御信号フォーマット情報の値に一義的に対応付けられているシフトビット数を用いて、予め定められたデータシーケンスに対して循環シフト処理を行ない、マスク用データシーケンスを得る第２の循環シフト処理ステップと、対象ユーザ装置の識別ＩＤを第１データシーケンスとし、前記マスク用データシーケンスと第１データシーケンスを利用して、前記第１中間データシーケンス中の第１サブシーケンス及び第２サブシーケンスに対してそれぞれマスク操作を行なって第３送信データシーケンスを生成する第３のマスク処理ステップと、前記第３送信データシーケンスを送信する第３の送信ステップとを含む。
【００２９】
前記伝送方法において、前記基地局における変換送信ステップは、対象ユーザ装置の識別ＩＤを第１データシーケンスとし、前記第１データシーケンスを利用して、前記第１中間データシーケンス中の少なくとも一つのサブシーケンスに対してマスク操作を行なって第４中間データシーケンスを生成する第４のマスク処理ステップと、前記制御信号フォーマット情報の値に一義的に対応付けられているシフトビット数で前記第４中間データシーケンスの一部又は全部に対して循環シフト処理を行ない、第４送信データシーケンスを取得する第３の循環シフト処理ステップと、前記第４送信データシーケンスを送信する第４の送信ステップとを含む。
【００３０】
上記目的を更に実現するために、本発明実施例は、更に基地局を提供する。該基地局は、下りリンク制御情報ＤＣＩとキャリア情報ＣＩとを取得する取得モジュールと、前記ＤＣＩとＣＩとに基づいて巡回冗長検査ＣＲＣコードを計算し、前記ＤＣＩ、ＣＩ及びＣＲＣコードから形成される第１中間データシーケンスを生成する計算モジュールと、制御信号フォーマット情報の値と対象ユーザ装置の識別ＩＤを用いて前記第１中間データシーケンスを送信データシーケンスに変換してユーザ装置に送信する変換送信モジュールとを含む。
【００３１】
前記基地局において、前記変換送信モジュールには、対象ユーザ装置の識別ＩＤを第１送信データシーケンスとし、第１送信データシーケンスを利用して、前記第１中間データシーケンス中の第１サブシーケンスに対してマスク操作を行ない、前記制御信号フォーマット情報の値に一義的に対応付けられているデータシーケンスを第２データシーケンスとし、前記第２データシーケンスを利用して、前記第１中間データシーケンスにおける、前記第１サブシーケンスとは異なる第２サブシーケンスに対してマスク操作を行ない、第１送信データシーケンスを取得する第１のマスク処理手段と、前記第１送信データシーケンスを送信する第１の送信手段とを含む。
【００３２】
前記基地局において、前記第２データシーケンスは、制御信号フォーマット情報の値、又は、制御信号フォーマット情報の値に一義的に対応付けられているデータシーケンス、又は、制御信号フォーマット情報の値と対象ユーザ装置ＩＤとの和である。
【００３３】
前記基地局において、前記変換送信モジュールは、前記制御信号フォーマット情報の値に一義的に対応付けられているシフトビット数で前記第１中間データシーケンスの一部又は全部に対して循環シフト処理を行ない、第３中間データシーケンスを取得する第１の循環シフト処理手段と、対象ユーザ装置の識別ＩＤを第１データシーケンスとし、前記第１データシーケンスを利用して、前記第３中間データシーケンス中の少なくとも一つのサブシーケンスに対してマスク操作を行なって第２送信データシーケンスを生成する第２のマスク処理手段と、前記第２送信データシーケンスを送信する第２の送信手段とを含む。
【００３４】
前記基地局において、前記変換送信モジュールは、前記制御信号フォーマット情報の値に一義的に対応付けられているシフトビット数を用いて、予め定められたデータシーケンスに対して循環シフト処理を行ない、マスク用データシーケンスを得る第２の循環シフト処理手段と、対象ユーザ装置の識別ＩＤを第１データシーケンスとし、前記マスク用データシーケンス及び第１データシーケンスを利用して、前記第１中間データシーケンス中の第１サブシーケンス及び第２サブシーケンスに対してそれぞれマスク操作を行なって第３送信データシーケンスを生成する第３のマスク処理手段と、前記第３の送信データシーケンスを送信する第３の送信手段とを含む。
【００３５】
前記基地局において、前記変換送信モジュールは、対象ユーザ装置の識別ＩＤを第１データシーケンスとし、前記第１データシーケンスを利用して、前記第１中間データシーケンス中の少なくとも一つのサブシーケンスに対してマスク操作を行なって第４中間データシーケンスを生成する第４のマスク処理手段と、前記制御信号フォーマット情報の値に一義的に対応付けられているシフトビット数で前記第４中間データシーケンスの一部又は全部に対して循環シフト処理を行ない、第４中間データシーケンスを取得する第３の循環シフト処理手段と、前記第４送信データシーケンスを送信する第４の送信手段とを含む。
【００３６】
上記目的を更に実現するために、本発明実施例は、更にユーザ装置を提供する。該ユーザ装置は、自局の識別ＩＤ、及び制御信号フォーマット情報の複数の所定値を用いてそれぞれ送信データシーケンスに対して逆変換処理を行ない、前記制御信号フォーマット情報の複数の所定値に一対一に対応する第２中間データシーケンスを再生する再生モジュールと、前記第２中間データシーケンスにおいて巡回冗長検査エラー無しと判断されたデータシーケンスが存在する場合、巡回冗長検査エラー無しと判断された第２中間データシーケンスにおけるＤＣＩ及び巡回冗長検査エラー無しと判断されたデータシーケンスに対応する制御信号フォーマット情報の所定値を取り込む取り込むモジュールとを含み、前記送信データシーケンスは、基地局が、取得した下りリンク制御情報ＤＣＩとキャリア情報ＣＩとに基づいて巡回冗長検査ＣＲＣコードを計算し、前記ＤＣＩ、ＣＩおよびＣＲＣコードから形成される第１中間データシーケンスを構成した後、制御信号フォーマット情報の値と対象ユーザ装置の識別ＩＤを用いて前記第１中間データシーケンスを変換して得たデータシーケンスである。
【００３７】
前記ユーザ装置において、前記送信データシーケンスは、対象ユーザ装置の識別ＩＤを第１データシーケンスとし、前記第１データシーケンスを用いて前記第１中間データシーケンス中の第１サブシーケンスに対してマスク操作を行ない、前記制御信号フォーマット情報の値に対して一義的に対応付けられたデータシーケンスを第２データシーケンスとし、前記第２データシーケンスを用いて前記第１中間データシーケンスにおける、前記第１サブシーケンスとは異なる第２サブシーケンスに対してマスク操作を行なって得たデータシーケンスである。
【００３８】
前記ユーザ装置において、前記第２データシーケンスは、制御信号フォーマット情報の値、又は、制御信号フォーマット情報の値に一義的に対応付けられているデータシーケンス、又は、制御信号フォーマット情報の値と対象ユーザ装置ＩＤとの和である。
【００３９】
前記ユーザ装置において、前記送信データシーケンスは、対象ユーザ装置の識別ＩＤを第１データシーケンスとし、前記第１データシーケンスを利用して、第３中間データシーケンス中の少なくとも一つのサブシーケンスに対してマスク操作を行なって得たデータシーケンスであり、前記第３中間データシーケンスは、前記制御信号フォーマット情報の値に一義的に対応付けられているシフトビット数で前記第１中間データシーケンスの一部又は全部に対して循環シフト処理を行なって得たデータシーケンスである。
【００４０】
前記ユーザ装置において、前記送信データシーケンスは、対象ユーザ装置の識別ＩＤを第１データシーケンスとし、マスク用データシーケンスと第１データシーケンスを利用して、前記第１中間データシーケンス中の第１サブシーケンス及び第２サブシーケンスに対してそれぞれマスク操作を行なって得たデータシーケンスであり、前記マスク用データシーケンスは、前記制御信号フォーマット情報の値に一義的に対応付けられているシフトビット数を用いて、予め定められたデータシーケンスに対して循環シフト処理を行なって得たデータシーケンスである。
【００４１】
前記ユーザ装置において、前記送信データシーケンスは、前記制御信号フォーマット情報の値に一義的に対応付けられているシフトビット数で第４中間データシーケンスの一部又は全部に対して循環シフト処理を行なって得たデータシーケンスであり、前記第４中間データシーケンスは、対象ユーザ装置の識別ＩＤを第１データシーケンスとし、前記第１データシーケンスを利用して、前記第１中間データシーケンス中の少なくとも一つのサブシーケンスに対してマスク操作を行なって得たデータシーケンスである。
【発明の効果】
【００４２】
本発明実施例によれば、下記の有益効果を奏することができる。
【００４３】
本発明実施例では、対象ユーザ装置の識別ＩＤを用いてマスク操作を行うほか、制御信号フォーマット情報の現在の値を用いてデータシーケンスに対して第２操作を行う。こうすることによって、対象ユーザ装置は、自局の識別ＩＤ及び上記変換処理に対応する手段に基づいて、制御信号フォーマット情報の現在の値を再生することができる。一方、対象ユーザ装置以外のユーザ装置は、常にマスク処理時に誤りがあるため、自局の識別ＩＤ及び上記変換処理に対応する手段に基づいて、制御信号フォーマット情報の現在の値を再生することができない。そのため、本発明の実施例によれば、シグナリングのオーバーヘッドを増加させない前提で、ユーザの誤検出の確率を低下させると共に、ユーザ間の公平性を保証している。
【図面の簡単な説明】
【００４４】
【図１】キャリアを跨いでスケジューリングするときにユーザ装置の受信フローを示す。
【図２】本発明の第１実施例における制御信号フォーマット情報伝送方法のフローを示す。
【図３】本発明の第１実施例における基地局の構造図である。
【図４】中間データシーケンスの構造図である。
【図５】本発明の第２実施例における制御信号フォーマット情報伝送方法のフローを示す。
【図６】本発明の第２実施例における基地局の構造図である。
【図７】本発明の第３実施例における制御信号フォーマット情報伝送方法のフローを示す。
【図８】本発明の第３実施例における基地局の構造図である。
【図９】本発明の第４実施例における制御信号フォーマット情報伝送方法のフローを示す。
【図１０】本発明の第４実施例における基地局の構造図である。
【発明を実施するための形態】
【００４５】
本発明の具体的な実施例における制御信号フォーマット情報伝送方法において、基地局は、制御信号フォーマット情報及びユーザ装置の識別ＩＤを用いて中間データシーケンスを変換して送信データシーケンスを取得して送信することによって、ユーザ装置が、自局の識別ＩＤ及び制御信号フォーマット情報の複数の所定値を用いて、上記送信データシーケンスに対してそれぞれ逆変換処理を行い、上記制御信号フォーマット情報の複数の所定値に一対一に対応する第２中間データシーケンスを再生し、上記第２中間データシーケンスにおいて巡回冗長検査エラー無しと判断されたデータシーケンスが存在する場合、巡回冗長検査エラー無しと判断された第２中間データシーケンスにおけるＤＣＩ及び巡回冗長検査エラー無しと判断されたデータシーケンスに対応する制御信号フォーマット情報の所定値を取り込むことを可能とする。
【００４６】
本発明の実施例における制御信号フォーマット情報伝送方法において、次の取得ステップと計算ステップと変換送信ステップとを含む。
【００４７】
取得ステップにおいて、基地局は、下りリンク制御情報ＤＣＩとキャリア情報ＣＩとを取得する。
【００４８】
計算ステップにおいて、基地局は、上記ＤＣＩとＣＩとに基づいて巡回冗長検査ＣＲＣコードを計算する。上記ＤＣＩ、ＣＩ及びＣＲＣコードは、中間データシーケンスを構成する。即ち、基地局は、上記ＤＣＩとＣＩとに基づいて巡回冗長検査ＣＲＣコードを計算して、上記ＤＣＩ、ＣＩ及びＣＲＣコードから形成される第１中間データシーケンスを構成する。
【００４９】
変換送信ステップにおいて、基地局は、制御信号フォーマット情報の値と対象ユーザ装置の識別ＩＤに基づいて、上記中間データシーケンスを変換して、送信データシーケンスを取得して送信する。即ち、基地局は、制御信号フォーマット情報の値と対象ユーザ装置の識別ＩＤを用いて上記中間データシーケンスを送信データシーケンスに変換することによって、ユーザ装置が、自局の識別ＩＤ及び制御信号フォーマット情報の複数の所定値を用いて、上記送信データシーケンスに対してそれぞれ逆変換処理を行い、上記制御信号フォーマット情報の複数の所定値に一対一に対応する第２中間データシーケンスを再生し、上記第２中間データシーケンスにおいて巡回冗長検査エラー無しと判断されたデータシーケンスが存在する場合、巡回冗長検査エラー無しと判断された第２中間データシーケンスにおけるＤＣＩ及び巡回冗長検査エラー無しと判断されたデータシーケンスに対応する制御信号フォーマット情報の所定値を取り込むことを可能とする。
【００５０】
送信データシーケンスがユーザ装置に受信されると、対象ユーザ装置は、自局の識別ＩＤ及び制御信号フォーマット情報の複数の所定値に基づいて、送信データシーケンスを逆変換して上記中間データシーケンスを再生することができる。一方、対象ユーザ装置以外のユーザ装置は、自局の識別ＩＤ及び制御信号フォーマット情報の複数の所定値に基づいて、送信データシーケンスを逆変換して上記中間データシーケンスを再生することができない。
【００５１】
基地局には、取得モジュールと、計算モジュールと、変換送信モジュールとを含む。
【００５２】
取得モジュールは、下りリンク制御情報ＤＣＩとキャリア情報ＣＩとを取得する。
【００５３】
計算モジュールは、上記ＤＣＩとＣＩとに基づいて巡回冗長検査ＣＲＣコードを計算する。上記ＤＣＩ、ＣＩ及びＣＲＣコードは、中間データシーケンスを構成する。
【００５４】
変換送信モジュールは、制御信号フォーマット情報の現在の値と対象ユーザ装置の識別ＩＤを用いて、上記中間データシーケンスを変換して、送信データシーケンスを取得して送信する。
【００５５】
上記の送信データシーケンスがユーザ装置に受信されると、ユーザ装置は、自局の識別ＩＤ及び制御信号フォーマット情報の複数の所定値を用いて、上記送信データシーケンスに対してそれぞれ逆変換処理を行い、上記制御信号フォーマット情報の複数の所定値に一対一に対応する第２中間データシーケンスを再生し、上記第２中間データシーケンスにおいて巡回冗長検査エラー無しと判断されたデータシーケンスが存在する場合、巡回冗長検査エラー無しと判断された第２中間データシーケンスにおけるＤＣＩ及び巡回冗長検査エラー無しと判断されたデータシーケンスに対応する制御信号フォーマット情報の所定値を取り込むことができる。
【００５６】
具体的に、如何にして、制御信号フォーマット情報の現在の値と対象ユーザ装置の識別ＩＤを用いて上記中間データシーケンスを変換して、送信データシーケンスを取得して送信することによって、対象ユーザ装置が、自局の識別ＩＤ及び上記変換処理に対応する手段に基づいて、制御信号フォーマット情報の現在の値を再生することを可能とする一方、対象ユーザ装置以外のユーザ装置が、自局の識別ＩＤ及び上記変換処理に対応する手段に基づいて制御信号フォーマット情報の現在の値を再生できないかについては、複数の実現方法があり、以下それぞれ説明する。
【００５７】
＜第１実施例＞
図２に示すように、本発明第１実施例の制御信号フォーマット情報伝送方法において、下記のステップ２１〜２４を含む。
【００５８】
ステップ２１において、基地局は、下りリンク制御情報ＤＣＩ（Downlink  Control  Information）とキャリア情報ＣＩ（Carrier  Information）とを取得する。
【００５９】
ステップ２２において、基地局は、上記ＤＣＩとＣＩとに基づいて巡回冗長検査ＣＲＣコードを計算する。上記ＤＣＩ、ＣＩ及びＣＲＣコードは、中間データシーケンスを構成する。
【００６０】
ステップ２３において、基地局は、第１データシーケンスを用いて上記中間データシーケンスにおける第１サブシーケンスに対してマスク操作を行ない、第２データシーケンスを用いて上記中間データシーケンスにおける、上記第１サブシーケンスとは異なる第２サブシーケンスに対してマスク操作を行い、第１送信データシーケンスを得る。
【００６１】
基地局は、対象ユーザ装置の識別ＩＤを第１データシーケンスとすることによって、上記第１データシーケンスを対象ユーザ装置の識別ＩＤに定義し、上記制御信号フォーマット情報の値に対して一義的に対応付けられているデータシーケンスを第２データシーケンスとすることによって、上記第２データシーケンスを、上記制御信号フォーマット情報の現在の値に対して一義的に対応付けられているデータシーケンスに定義する。
【００６２】
ステップ２４において、基地局は、上記送信データシーケンスを送信する。
【００６３】
本発明第１実施例の基地局は、図３に示すように、次の取得モジュールと計算モジュールと第１マスク処理手段と第１送信手段とをを含む。
【００６４】
取得モジュールは、下りリンク制御情報ＤＣＩ（Downlink  Control  Information）とキャリア情報ＣＩ（Carrier  Information）とを取得する。
【００６５】
計算モジュールは、上記ＤＣＩとＣＩとに基づいて巡回冗長検査ＣＲＣコードを計算する。上記ＤＣＩ、ＣＩ及びＣＲＣコードは、中間データシーケンスを構成する。
【００６６】
第１マスク処理手段は、第１データシーケンスを用いて上記中間データシーケンスにおける第１サブシーケンスに対してマスク操作を行ない、第２データシーケンスを用いて上記中間データシーケンスにおける、上記第１サブシーケンスとは異なる第２サブシーケンスに対してマスク操作を行い、第１送信データシーケンスを得る。
【００６７】
上記第１データシーケンスは、対象ユーザ装置の識別ＩＤであり、上記第２データシーケンスは、上記制御信号フォーマット情報の現在の値に対して一義的に対応付けられているデータシーケンスである。
【００６８】
第１送信手段は、上記第１送信データシーケンスを送信する。
【００６９】
以下、上記ステップ２３について詳しく説明する。本発明第１実施例において、複数の方式で実現可能であり、以下詳しく説明する。
【００７０】
図４に示すように、中間データシーケンスは、下りリンク制御情報が記録されたＤＣＩフィールド（ＤＣＩ  Ａとする）、キャリアの番号が記録されたＣＩフィールド（ＣＩ  Ａとする）、ＤＣＩとＣＩから算出したＣＲＣコードが記録されたＣＲＣフィールド（ＣＲＣ  Ａとする）の三部分を含む。
【００７１】
以下の説明では、いずれも、ＣＦＩの現在の値が２、マスク処理実行後の対応フィールドがＤＣＩ  Ｂ、ＣＩ  Ａ、ＣＲＣ  Ｂであることを基に説明する。
【００７２】
＜実現方式１＞
実現方式１において、第１データシーケンスは、対象ユーザ装置のＩＤであり、その長さがｎ１ビットとし、第２データシーケンスは、制御信号フォーマット情報の現在の値であり、その長さがｎ２ビットとし、第１サブシーケンスは、ＤＣＩフィールドの前からのｎ１ビットであり、第２サブシーケンスは、ＣＲＣフィールドの前からのｎ２ビットである。
【００７３】
送信データシーケンスを得た後、基地局は、該送信データシーケンスを送信する。
【００７４】
対象ユーザ装置にとって、該送信データシーケンスを受信した後、自局のＩＤを用いて送信データシーケンスにおけるＤＣＩ  Ｂに対して逆マスク操作を行う。基地局側においても対象ユーザ装置のＩＤを用いてＤＣＩ  Ａに対してマスク操作を行ったため、対象ユーザ装置は、中間データシーケンスにおけるＤＣＩ  Ａを得ることができる。
【００７５】
対象ユーザ装置は、ありうる制御信号フォーマット情報の値（つまり制御信号フォーマット情報の複数の所定値であり、現在情況において、１、２、３である）を用いてＣＲＣ  Ｂに対して逆マスク操作を行い、このとき３つのＣＲＣを得ることができ、それぞれＣＲＣ  Ｃ１、ＣＲＣ  Ｃ２、ＣＲＣ  Ｃ３とする。このとき、下記三種類のデータ組合せを得る。
ＤＣＩ  Ａ、ＣＩ  Ａ、ＣＲＣ  Ｃ１
ＤＣＩ  Ａ、ＣＩ  Ａ、ＣＲＣ  Ｃ２
ＤＣＩ  Ａ、ＣＩ  Ａ、ＣＲＣ  Ｃ３
【００７６】
そして、対象ユーザ装置は、逆マスク処理で得たＤＣＩ  ＡとＣＩ  Ａに基づいてＣＲＣ  Ｃ４を計算し、該計算で得たＣＲＣ  Ｃ４が、ＣＦＩ＝２を用いてＣＲＣ  Ｂに対して逆マスク処理して得たＣＲＣ  Ｃ２と同じであると判断すると、該送信データシーケンスが対象ユーザ装置自局に送信するものであるとし、かつＣＦＩ＝２である。
【００７７】
一方、非対象ユーザ装置にとって、該送信データシーケンスを受信した後、自局のＩＤを用いて送信データシーケンスにおけるＤＣＩ  Ｂに対して逆マスク操作を行う。基地局側では対象ユーザ装置のＩＤを用いてＤＣＩ  Ａに対してマスク操作を行ったため、非対象ユーザ装置が自局のＩＤを用いて送信データシーケンスにおけるＤＣＩ  Ｂに対して逆マスク操作を行って得たＤＣＩは、中間データシーケンスにおけるＤＣＩ  Ａとは異なり、ＤＣＩ  Ｃとする。
【００７８】
非対象ユーザ装置は、ありうる制御信号フォーマット情報の値（現在情況において、１、２、３である）を用いてＣＲＣ  Ｂに対して逆マスク操作を行い、このとき３つのＣＲＣフィールドを得ることができ、それぞれＣＲＣ  Ｃ１、ＣＲＣ  Ｃ２、ＣＲＣ  Ｃ３とする。このとき、下記三種類のデータ組合せを得る。
ＤＣＩ  Ｃ、ＣＩ  Ａ、ＣＲＣ  Ｃ１
ＤＣＩ  Ｃ、ＣＩ  Ａ、ＣＲＣ  Ｃ２
ＤＣＩ  Ｃ、ＣＩ  Ａ、ＣＲＣ  Ｃ３
【００７９】
しかし、非対象ユーザ装置が逆マスク処理で得たＤＣＩ  ＣとＣＩ  Ａに基づいてＣＲＣ  Ｃ５を計算するが、このとき非対象ユーザ装置が自局のＩＤを用いて送信データシーケンスにおけるＤＣＩ  Ｂに対して逆マスク操作を行って得たＤＣＩ  ＣはＤＣＩ  Ａとは異なるため、ＤＣＩ  ＣとＣＩ  Ａを用いることでＣＲＣ  Ｃ２を得ることができない。同様、ＤＣＩ  ＣとＣＩ  Ａを用いることでＣＲＣ  Ｃ１、ＣＲＣ  Ｃ３を得ることもできない。つまり、ＣＲＣ  Ｃ５は、ＣＲＣ  Ｃ１、ＣＲＣ  Ｃ２、ＣＲＣ  Ｃ３のいずれもとは同じでない。従って、ＣＲＣ検査が失敗に終わり、非対象ユーザ装置は、受信した送信データシーケンスを廃棄することとなる。
【００８０】
＜実現方式２＞
実現方式２において、予め、制御信号フォーマット情報の各値に対して、一対一に対応し且つそれぞれ異なるデータシーケンスを設定する。
【００８１】
実現方式２において、第１データシーケンスは、対象ユーザ装置のＩＤであり、その長さがｎ１ビットとし、第２データシーケンスは、制御信号フォーマット情報の現在の値に対して一義的に対応付けられているデータシーケンスであり、その長さがｎ２ビットとし、第１サブシーケンスは、ＤＣＩフィールドの前からのｎ１ビットであり、第２サブシーケンスは、ＣＲＣフィールドの前からのｎ２ビットである。
【００８２】
送信データシーケンスを得た後、基地局は、該送信データシーケンスを送信する。
【００８３】
対象ユーザ装置にとって、該送信データシーケンスを受信した後、自局のＩＤを用いて送信データシーケンスにおけるＤＣＩ  Ｂに対して逆マスク操作を行う。基地局側においても対象ユーザ装置のＩＤを用いてＤＣＩ  Ａに対してマスク操作を行ったため、対象ユーザ装置は、中間データシーケンスにおけるＤＣＩ  Ａを得ることができる。
【００８４】
対象ユーザ装置は、ありうる制御信号フォーマット情報の値（現在情況において、１、２、３である）に対応するデータシーケンスを用いてＣＲＣ  Ｂに対して逆マスク操作を行い、このとき３つのＣＲＣ逆マスク処理結果を得ることができ、それぞれＣＲＣ  Ｄ１、ＣＲＣ  Ｄ２、ＣＲＣ  Ｄ３とする。このとき、下記三種類のデータ組合せを得る。
ＤＣＩ  Ａ、ＣＩ  Ａ、ＣＲＣ  Ｄ１
ＤＣＩ  Ａ、ＣＩ  Ａ、ＣＲＣ  Ｄ２
ＤＣＩ  Ａ、ＣＩ  Ａ、ＣＲＣ  Ｄ３
【００８５】
そして、対象ユーザ装置は、得たＤＣＩ  ＡとＣＩ  Ａに基づいてＣＲＣ  Ｄ４を計算し、該計算で得たＣＲＣ  Ｃ４が、ＣＦＩ＝２を用いてＣＲＣフィールドに対して逆マスク処理して得たＣＲＣ  Ｄ２と同じであると判断すると、該送信データシーケンスが対象ユーザ装置自局に送信するものであるとし、かつＣＦＩ＝２である。
【００８６】
非対象ユーザ装置にとって、該送信データシーケンスを受信した後、自局のＩＤを用いて送信データシーケンスにおけるＤＣＩ  Ｂに対して逆マスク操作を行う。基地局側では対象ユーザ装置のＩＤを用いてＤＣＩ  Ａに対してマスク操作を行ったため、非対象ユーザ装置が自局のＩＤを用いて送信データシーケンスにおけるＤＣＩ  Ｂに対して逆マスク操作を行って得たＤＣＩは、中間データシーケンスにおけるＤＣＩ  Ａとは異なり、ＤＣＩ  Ｄとする。
【００８７】
非対象ユーザ装置は、ありうる制御信号フォーマット情報の値（現在情況において、１、２、３である）を用いてＣＲＣ  Ｂに対して逆マスク操作を行い、このとき３つのＣＲＣ逆マスク処理結果を得ることができ、それぞれＣＲＣ  Ｄ１、ＣＲＣ  Ｄ２、ＣＲＣ  Ｄ３とする。このとき、下記三種類のデータ組合せを得る。
ＤＣＩ  Ｄ、ＣＩ  Ａ、ＣＲＣ  Ｄ１
ＤＣＩ  Ｄ、ＣＩ  Ａ、ＣＲＣ  Ｄ２
ＤＣＩ  Ｄ、ＣＩ  Ａ、ＣＲＣ  Ｄ３
【００８８】
しかし、非対象ユーザ装置が逆マスク処理で得たＤＣＩ  ＣとＣＩ  Ａに基づいてＣＲＣ  Ｄ５を計算するが、このとき非対象ユーザ装置が自局のＩＤを用いて送信データシーケンスにおけるＤＣＩ  Ｂに対して逆マスク操作を行って得たＤＣＩ  ＣはＤＣＩ  Ａとは異なるため、ＤＣＩ  ＣとＣＩ  Ａを用いることでＣＲＣ  Ｃ２を得ることができない。同様、ＤＣＩ  ＣとＣＩ  Ａを用いることでＣＲＣ  Ｃ１、ＣＲＣ  Ｃ３を得ることもできない。つまり、ＣＲＣ  Ｄ５は、ＣＲＣ  Ｄ１、ＣＲＣ  Ｄ２、ＣＲＣ  Ｄ３のいずれもとは同じでない。従って、ＣＲＣ検査が失敗に終わり、非対象ユーザ装置は、受信した送信データシーケンスを廃棄することとなる。
【００８９】
＜実現方式３＞
実現方式３において、第１データシーケンスは、対象ユーザ装置のＩＤであり、その長さがｎ１ビットとし、第２データシーケンスは、制御信号フォーマット情報の現在の値、対象ユーザ装置のＩＤ及び−１の和であり、その長さがｎ２ビットとし、第１サブシーケンスは、ＤＣＩフィールドの前からのｎ１ビットであり、第２サブシーケンスは、ＣＲＣフィールドの前からのｎ２ビットである。
【００９０】
送信データシーケンスを得た後、基地局は、該送信データシーケンスを送信する。
【００９１】
対象ユーザ装置にとって、該送信データシーケンスを受信した後、自局のＩＤを用いて送信データシーケンスにおけるＤＣＩ  Ｂに対して逆マスク操作を行う。基地局側においても対象ユーザ装置のＩＤを用いてＤＣＩ  Ａに対してマスク操作を行ったため、対象ユーザ装置は、中間データシーケンスにおけるＤＣＩ  Ａを得ることができる。
【００９２】
対象ユーザ装置は、ありうる制御信号フォーマット情報の値、対象ユーザ装置のＩＤ及び−１の和を用いてＣＲＣ  Ｂに対して逆マスク操作を行い、このとき３つのＣＲＣフィールドを得ることができ、それぞれＣＲＣ  Ｅ１、ＣＲＣ  Ｅ２、ＣＲＣ  Ｅ３とする。このとき、下記三種類のデータ組合せを得る。
ＤＣＩ  Ａ、ＣＩ  Ａ、ＣＲＣ  Ｅ１
ＤＣＩ  Ａ、ＣＩ  Ａ、ＣＲＣ  Ｅ２
ＤＣＩ  Ａ、ＣＩ  Ａ、ＣＲＣ  Ｅ３
【００９３】
そして、対象ユーザ装置は、得たＤＣＩ  ＡとＣＩ  Ａに基づいてＣＲＣ  Ｅ４を計算し、該計算で得たＣＲＣ  Ｅ４が、ＣＦＩ＝２を用いてＣＲＣフィールドに対して逆マスク処理して得たＣＲＣ  Ｅ２と同じであると判断すると、該送信データシーケンスが対象ユーザ装置自局に送信するものであるとし、かつＣＦＩ＝２である。
【００９４】
非対象ユーザ装置にとって、該送信データシーケンスを受信した後、自局のＩＤを用いて送信データシーケンスにおけるＤＣＩ  Ｂに対して逆マスク操作を行う。基地局側では対象ユーザ装置のＩＤを用いてＤＣＩ  Ａに対してマスク操作を行ったため、非対象ユーザ装置が自局のＩＤを用いて送信データシーケンスにおけるＤＣＩ  Ｂに対して逆マスク操作を行って得たＤＣＩは、中間データシーケンスにおけるＤＣＩ  Ａとは異なり、ＤＣＩ  Ｅとする。
【００９５】
非対象ユーザ装置は、ありうる制御信号フォーマット情報の値（現在情況において、１、２、３である）、対象ユーザ装置のＩＤ及び−１の和を用いてＣＲＣ  Ｂに対して逆マスク操作を行い、このとき３つのＣＲＣフィールドを得ることができ、それぞれＣＲＣ  Ｅ１、ＣＲＣ  Ｅ２、ＣＲＣ  Ｅ３とする。このとき、下記三種類のデータ組合せを得る。
ＤＣＩ  Ｅ、ＣＩ  Ａ、ＣＲＣ  Ｅ１
ＤＣＩ  Ｅ、ＣＩ  Ａ、ＣＲＣ  Ｅ２
ＤＣＩ  Ｅ、ＣＩ  Ａ、ＣＲＣ  Ｅ３
【００９６】
しかし、非対象ユーザ装置が逆マスク処理で得たＤＣＩ  ＥとＣＩ  Ａに基づいてＣＲＣ  Ｅ５を計算するが、このとき非対象ユーザ装置が自局のＩＤを用いて送信データシーケンスにおけるＤＣＩ  Ｂに対して逆マスク操作を行って得たＤＣＩ  ＥはＤＣＩ  Ａとは異なるため、ＤＣＩ  ＥとＣＩ  Ａを用いることでＣＲＣ  Ｅ２を得ることができない。同様、ＤＣＩ  ＥとＣＩ  Ａを用いることでＣＲＣ  Ｅ１、ＣＲＣ  Ｅ３を得ることもできない。つまり、ＣＲＣ  Ｅ５は、ＣＲＣ  Ｅ１、ＣＲＣ  Ｅ２、ＣＲＣ  Ｅ３のいずれもとは同じでない。従って、ＣＲＣ検査が失敗に終わり、非対象ユーザ装置は、受信した送信データシーケンスを廃棄することとなる。
【００９７】
上記実現方式３について、従来技術では、ＤＣＩ  Ａに対してマスク処理が行われていないため、対象ユーザ装置ＩＤより１少ないＩＤのユーザ装置は、データが自局に送信されるものであるとし、かつＣＦＩが３である。一方、対象ユーザ装置ＩＤより１多いＩＤのユーザ装置は、データが自局に送信されるものであるとし、かつＣＦＩが１である。
【００９８】
しかし、上記実現方式３を利用する場合、非対象ユーザ装置が正しいＤＣＩ  Ａを受信することができないため、ＣＲＣ検査は成功することがなく、後検出が生じることもない。
【００９９】
＜実現方式４＞
実現方式４において、第１データシーケンスは、制御信号フォーマット情報の現在の値及び対象ユーザ装置のＩＤの和であり、その長さがｎ１ビットとし、第２データシーケンスは、対象ユーザ装置のＩＤであり、その長さがｎ２ビットとし、第１サブシーケンスは、ＤＣＩフィールドの前からのｎ１ビットであり、第２サブシーケンスは、ＣＲＣフィールドの前からのｎ２ビットである。
【０１００】
送信データシーケンスを得た後、基地局は、該送信データシーケンスを送信する。
【０１０１】
対象ユーザ装置にとって、該送信データシーケンスを受信した後、制御信号フォーマット情報のありうる値及び自局のＩＤの和を用いて送信データシーケンスにおけるＤＣＩ  Ｂに対して逆マスク操作を行い、ＤＣＩ  Ｆ１、ＤＣＩ  Ｆ２、ＤＣＩ  Ｆ３を得る。
【０１０２】
対象ユーザ装置は、自信のＩＤを用いてＣＲＣ  Ｂに対して逆マスク操作を行う。基地局側においても対象ユーザ装置のＩＤを用いてＣＲＣ  Ａに対してマスク操作を行ってＣＲＣ  Ｂを得るため、対象ユーザ装置は、中間データシーケンスにおけるＣＲＣ  Ａを得ることができる。
【０１０３】
従って、対象ユーザ装置は、下記三種類のデータ組合せを得る。
ＤＣＩ  Ｆ１、ＣＩ  Ａ、ＣＲＣ  Ａ
ＤＣＩ  Ｆ２、ＣＩ  Ａ、ＣＲＣ  Ａ
ＤＣＩ  Ｆ３、ＣＩ  Ａ、ＣＲＣ  Ａ
【０１０４】
そして、対象ユーザ装置は、得たＤＣＩ  Ｆ１、Ｆ２、Ｆ３に基づいてＣＩ  ＡとそれぞれＣＲＣを計算し、ＤＣＩ  Ｆ２とＣＩ  Ａとを用いて算出したＣＲＣがＣＲＣ  Ａと同じであると、該送信データシーケンスが対象ユーザ装置自局に送信するものであるとし、かつＣＦＩ＝２である。
【０１０５】
非対象ユーザ装置にとって、制御信号フォーマット情報のありうる値と自局のＩＤの和を用いて送信データシーケンスにおけるＤＣＩ  Ｂに対して逆マスク操作を行い、ＤＣＩ  Ｇ１、ＤＣＩ  Ｇ２、ＤＣＩ  Ｇ３を得る。
【０１０６】
非対象ユーザ装置は、ユーザ装置のＩＤを用いてＣＲＣ  Ｂに対して逆マスク操作を行う。基地局側では対象ユーザ装置のＩＤを用いてＤＣＩ  Ａに対してマスク操作を行ってＣＲＣ  Ｂを得たため、非対象ユーザ装置は、ＣＲＣ  Ａとは異なるＣＲＣ  Ｆしか得ることができない。
【０１０７】
従って、下記三種類のデータ組合せを得る。
ＤＣＩ  Ｇ１、ＣＩ  Ａ、ＣＲＣ  Ｆ
ＤＣＩ  Ｇ２、ＣＩ  Ａ、ＣＲＣ  Ｆ
ＤＣＩ  Ｇ３、ＣＩ  Ａ、ＣＲＣ  Ｆ
【０１０８】
しかし、非対象ユーザ装置が逆マスク処理で得たＤＣＩ  Ｇ１、Ｇ２、Ｇ３に基づいてＣＩ  Ａとそれぞれ計算したＣＲＣがＣＲＣ  Ｆとは異なるため、ＣＲＣ検査が失敗に終わり、非対象ユーザ装置は、受信した送信データシーケンスを廃棄することとなる。
【０１０９】
もちろん、上記の各実現方式では、ＤＣＩとＣＲＣに対してマスク操作を行うことを例として説明したが、該第１サブシーケンスと第２サブシーケンスが中間データシーケンスにおける任意の構成部分であり（例えば、ＤＣＩの一部とＣＩで第１サブシーケンスを構成し、ＣＲＣで第２サブシーケンスを構成する。または、ＤＣＩの一部とＣＲＣの一部で第１サブシーケンスを構成し、ＤＣＩのその他の一部とＣＲＣのその他の一部で第２サブシーケンスを構成する）、両者が異なるのであればよいことは、理解されよう。後続する処理方式も完全に同じであるため、ここで逐一に例を挙げて説明することはしない。
【０１１０】
＜第２実施例＞
第２実施例において、図５に示すように、本発明第２実施例の制御信号フォーマット情報伝送方法において、下記のステップ５１〜５５を含む。
【０１１１】
ステップ５１において、基地局は、下りリンク制御情報ＤＣＩ（Downlink  Control  Information）とキャリア情報ＣＩ（Carrier  Information）とを取得する。
【０１１２】
ステップ５２において、基地局は、上記ＤＣＩとＣＩとに基づいて巡回冗長検査ＣＲＣコードを計算する。上記ＤＣＩ、ＣＩ及びＣＲＣコードは、中間データシーケンスを構成する。
【０１１３】
ステップ５３において、基地局は、第１データシーケンス（例えば対象ユーザ装置の識別ＩＤ）を用いて上記中間データシーケンスにおける第３サブシーケンス（少なくとも一つ）に対してマスク操作を行い、第４中間データシーケンスを得る。上記第１データシーケンスは、対象ユーザ装置の識別ＩＤである。
【０１１４】
ステップ５４において、基地局は、上記第４中間データシーケンスにおける第４サブシーケンス（第４中間データシーケンスの一部又は全部である）に対して循環シフト処理を行い、第４送信データシーケンスを得る。上記循環シフト処理でシフトしたビット数は、上記制御信号フォーマット情報の現在の値に対して一義的に対応付けられている。
【０１１５】
ステップ５５において、基地局は、上記第４送信データシーケンスを送信する。
【０１１６】
本発明第２実施例の基地局は、図６に示すように、次の取得モジュールと計算モジュールと第４マスク処理手段と第３循環シフト処理手段と第４送信手段を含む。
【０１１７】
取得モジュールは、下りリンク制御情報ＤＣＩとキャリア情報ＣＩとを取得する。
【０１１８】
計算モジュールは、上記ＤＣＩとＣＩとに基づいて巡回冗長検査ＣＲＣコードを計算する。上記ＤＣＩ、ＣＩ及びＣＲＣコードは、中間データシーケンスを構成する。
【０１１９】
第４マスク処理手段は、第１データシーケンスを用いて上記中間データシーケンスにおける第３サブシーケンスに対してマスク操作を行い、第４中間データシーケンスを得る。上記第１データシーケンスは、対象ユーザ装置の識別ＩＤである。
【０１２０】
第３循環シフト処理手段は、上記第４中間データシーケンスにおける第４サブシーケンスに対して循環シフト処理を行い、第４送信データシーケンスを得る。上記循環シフト処理でシフトしたビット数は、上記制御信号フォーマット情報の現在の値に対して一義的に対応付けられている。
【０１２１】
第４送信手段は、上記第４送信データシーケンスを送信する。
【０１２２】
本発明第２実施例において、多種類の方式でマスク処理を実現可能であり、ＣＲＣコード部分に対してマスク操作を行なってもよいし、ＤＣＩフィールド部分に対してマスク操作を行なってもよい。更に、パケット全体中、対象ユーザ装置の識別ＩＤのビット数とは同じであると予め設定された部分であってもよい。対象ユーザ装置の識別ＩＤが１１００１１とすると、該第３サブシーケンスは、予め設定された６ビットの数字シーケンスであってもよく、双方が予め分かっていればよい。もちろん、複数の部分に対してマスク操作を行なってもよい。後続の実施例では、第３サブシーケンスがＣＲＣコードの最後の、ビット数が識別子と同じのシーケンスであることを例として詳しく説明する。
【０１２３】
本発明第２実施例では、第４サブシーケンスは、循環シフトをされるデータシーケンス全体、循環シフトをされるデータシーケンス全体における、前からのＮビットから形成されるデータシーケンス、循環シフトをされるデータシーケンス全体における、最後のＮビットから形成されるデータシーケンスのいずれであってもよい。
【０１２４】
もちろん、循環シフト後のデータシーケンスと循環シフト前のデータシーケンスとを完全に異にするために、Ｎの値は、多めに取ることができる。
【０１２５】
該第４サブシーケンスは、循環シフトをされるデータシーケンスから断続的に取り出したデータからなってもよい。後続する実施例では、パケット全体が第４サブシーケンスとなるデータシーケンスを例として詳しく説明する。
【０１２６】
以下の説明では、ＣＦＩの現在の値が２であることを説明する。
【０１２７】
第２送信データシーケンスを取得した後、基地局は、該第２送信データシーケンスを送信する。
【０１２８】
対象ユーザ装置は、該第２送信データシーケンスを受信した後、まず第２送信データシーケンスに対して循環シフト処理を行う。もちろん、シフト方向は、基地局のシフト方向とは逆であり、それぞれ０ビット、１ビット、２ビットをシフトして、三つのサブデータシーケンスを得る。
【０１２９】
そして、０ビットをシフトして得たサブデータシーケンスについて、シフトするビット数が異なるため、循環シフトをされるデータシーケンスとは同じではない。従って、０ビットをシフトして得たサブデータシーケンスにおけるＣＲＣコードに対して、対象ユーザ装置の装置識別子を用いて逆マスク操作を行って得たシーケンスは、中間データシーケンスとは異なり、ＣＲＣ検査を通過できない。
【０１３０】
そして、２ビットをシフトして得たサブデータシーケンスについて、シフトするビット数が異なるため、循環シフトをされるデータシーケンスとは同じではない。従って、その後、２ビットをシフトして得たサブデータシーケンスにおけるＣＲＣコードに対して、対象ユーザ装置の装置識別子を用いて逆マスク操作を行って得たシーケンスは、中間データシーケンスとは異なり、ＣＲＣ検査を通過できない。
【０１３１】
そして、１ビットをシフトして得たサブデータシーケンスについて、シフトするビット数が同じであるため、循環シフトをされるデータシーケンスとは同じである。従って、その後、１ビットをシフトして得たサブデータシーケンスにおけるＣＲＣコードに対して、対象ユーザ装置の装置識別子を用いて逆マスク操作を行って得たシーケンスは、中間データシーケンスとは同じであり、ＣＲＣ検査を通過できる。ＣＲＣ検査を通過できるため、対象ユーザ装置は、該送信データシーケンスが自局に送信されたものであるとし、且つＣＦＩ＝２である。
【０１３２】
一方、非対象ユーザ装置は、循環シフトをされるデータシーケンスを取得可能であるが、その識別子が対象ユーザ装置の識別子とは異なるため、循環シフトをされるデータシーケンスに対して非対象ユーザ装置の装置識別子を用いて逆マスク操作を行うと、必ず中間データシーケンスを得ることができず、ＣＲＣ検査も通過できない。従って、非対象ユーザ装置は、受信した第２送信データシーケンスを廃棄することとなる。
【０１３３】
＜第３実施例＞
第３実施例において、図７に示すように、本発明第３実施例の制御信号フォーマット情報伝送方法において、下記のステップ７１〜７５を含む。
【０１３４】
ステップ７１において、基地局は、下りリンク制御情報ＤＣＩ（Downlink  Control  Information）とキャリア情報ＣＩ（Carrier  Information）とを取得する。
【０１３５】
ステップ７２において、基地局は、上記ＤＣＩとＣＩとに基づいて巡回冗長検査ＣＲＣコードを計算する。上記ＤＣＩ、ＣＩ及びＣＲＣコードは、中間データシーケンスを構成する。
【０１３６】
ステップ７３において、基地局は、上記中間データシーケンスにおける第５サブシーケンス（中間データシーケンスの一部又は全部）に対して循環シフト処理を行い、第３中間データシーケンスを得る。上記循環シフト処理でシフトしたビット数は、上記制御信号フォーマット情報の現在の値に対して一義的に対応付けられている。
【０１３７】
ステップ７４において、基地局は、上記第３中間データシーケンス中の少なくとも一つの第３サブシーケンスに対して第１データシーケンス（対象ユーザ装置の識別ＩＤ）を用いてマスク操作を行い、第２送信データシーケンスを得る。上記第１データシーケンスは、対象ユーザ装置の識別ＩＤである。
【０１３８】
ステップ７５において、基地局は、上記第２送信データシーケンスを送信する。
【０１３９】
本発明第３実施例の基地局は、図８に示すように、次の取得モジュールと計算モジュールと第１循環シフト処理手段と第２マスク処理手段と第２送信手段とを含む。
【０１４０】
取得モジュールは、下りリンク制御情報ＤＣＩとキャリア情報ＣＩとを取得する。
【０１４１】
計算モジュールは、上記ＤＣＩとＣＩとに基づいて巡回冗長検査ＣＲＣコードを計算する。上記ＤＣＩ、ＣＩ及びＣＲＣコードは、中間データシーケンスを構成する。
【０１４２】
第１循環シフト処理手段は、上記中間データシーケンスにおける第５サブシーケンスに対して循環シフト処理を行い、第３中間データシーケンスを得る。上記循環シフト処理でシフトしたビット数は、上記制御信号フォーマット情報の現在の値に対して一義的に対応付けられている。
【０１４３】
第２マスク処理手段は、第１データシーケンスを用いて第３中間データシーケンス中の少なくとも一つの第３サブシーケンスに対してマスク操作を行い、第２送信データシーケンスを得る。上記第１データシーケンスは、対象ユーザ装置の識別ＩＤである。
【０１４４】
第２送信手段は、上記第２送信データシーケンスを送信する。
【０１４５】
第３マスク処理手段では、上記マスク処理をされるデータシーケンスにおける一つのサブシーケンスに対して第１データシーケンスを用いてマスク操作を行なってもよいし、上記マスク処理をされるデータシーケンスにおける複数のサブシーケンスに対して第１データシーケンスを用いてマスク操作を行なってもよい。例えば、第１データシーケンスを用いて、上記マスク処理をされるデータシーケンスにおける前からｎ個のデータビットと最後のｎ個のデータビットに対してそれぞれマスク操作を行う。
【０１４６】
第３実施例と第２実施例との相異は、循環シフト処理とマスク処理のみにある。従って、第３の実施例においても、対象ユーザ装置が制御信号フォーマット情報の現在の値を再生できる一方、対象ユーザ装置以外のユーザ装置が中間データシーケンスを得ることができず、ＣＲＣ検査を通過できないようにすることができる。従って、非対象ユーザ装置は、受信した第３送信データシーケンスを廃棄することとなる。ここで、詳しく例を挙げた説明をしない。
【０１４７】
＜第４実施例＞
第４実施例において、図９に示すように、本発明第４実施例の制御信号フォーマット情報伝送方法において、下記のステップ９１〜９５を含む。
【０１４８】
ステップ９１において、基地局は、下りリンク制御情報ＤＣＩ（Downlink  Control  Information）とキャリア情報ＣＩ（Carrier  Information）とを取得する。
【０１４９】
ステップ９２において、基地局は、上記ＤＣＩとＣＩとに基づいて巡回冗長検査ＣＲＣコードを計算する。上記ＤＣＩ、ＣＩ及びＣＲＣコードは、中間データシーケンスを構成する。
【０１５０】
ステップ９３において、基地局は、予め定められたデータシーケンスに対して、上記制御信号フォーマット情報の値に対して一義的に対応付けられているシフトビット数で循環シフト処理を行い、マスク用データシーケンスを生成する。
【０１５１】
ステップ９４において、基地局は、対象ユーザ装置の識別ＩＤを第１データシーケンスとし、上記マスク用データシーケンスと第１データシーケンスを用いて上記中間データシーケンスにおける第１サブシーケンス及び第２サブシーケンスに対してそれぞれマスク操作を行い、第３送信データシーケンスを得る。
【０１５２】
ステップ９５において、基地局は、上記第３送信データシーケンスを送信する。
【０１５３】
第４実施例の基地局は、図１０に示すように、次の取得モジュールと計算モジュールと第２循環シフト処理手段と第３マスク処理手段と第３送信手段とを含む。
【０１５４】
取得モジュールは、下りリンク制御情報ＤＣＩとキャリア情報ＣＩとを取得する。
【０１５５】
計算モジュールは、上記ＤＣＩとＣＩとに基づいて巡回冗長検査ＣＲＣコードを計算する。上記ＤＣＩ、ＣＩ及びＣＲＣコードは、中間データシーケンスを構成する。
【０１５６】
第２循環シフト処理手段は、予め定められたデータシーケンスに対して、上記制御信号フォーマット情報の値に対して一義的に対応付けられているシフトビット数で循環シフト処理を行い、マスク用データシーケンスを得る。
【０１５７】
第３マスク処理手段は、対象ユーザ装置の識別ＩＤを第１データシーケンスとし、上記マスク用データシーケンスと第１データシーケンスを用いて上記中間データシーケンスにおける第１サブシーケンス及び第２サブシーケンスに対してそれぞれマスク操作を行い、第３送信データシーケンスを生成する。
【０１５８】
第３送信手段は、上記第３送信データシーケンスを送信する。
【０１５９】
第４実施例において、第３送信データシーケンスにおける第２サブシーケンスが既に対象ユーザ装置の識別ＩＤによって逆マスク処理されたため、非対象ユーザ装置は、中間データシーケンスにおける対応するサブシーケンスを再生することができず、後続するＣＲＣ検査が必ず誤まる。
【０１６０】
一方、第３送信データシーケンスにおける第２サブシーケンスが対象ユーザ装置の識別ＩＤによって逆マスク処理されたため、対象ユーザ装置は、中間データシーケンスにおける対応するサブシーケンスを再生することができ、後続するＣＲＣ検査が必ず誤まる。
【０１６１】
第３送信データシーケンスにおける第１サブシーケンスについて、ユーザ装置は、予め定められたデータシーケンスに対してありうるＣＦＩの値を用いて循環シフト処理を行い、そして逆マスク操作を行って三組のデータシーケンスを取得して、そのうち必ずＣＲＣ検査が成功する組がある。すると、ユーザ装置は、巡回冗長検査エラー無しと判断されたデータシーケンスにおけるＤＣＩ及び巡回冗長検査エラー無しと判断されたデータシーケンスに対応する制御信号フォーマット情報の所定値を取り込む。
【０１６２】
上記の実施例では、基地局側の処理について詳しく説明したが、交互双方から見て、本発明第４実施例の制御信号フォーマット情報伝送方法は、下記のステップを含む。
【０１６３】
基地局は、下りリンク制御情報ＤＣＩとキャリア情報ＣＩとを取得する取得ステップと、前記ＤＣＩとＣＩとに基づいて巡回冗長検査（ＣＲＣ）コードを計算し、前記ＤＣＩ、ＣＩおよびＣＲＣコードから形成される第１中間データシーケンスを構成する計算ステップと、制御信号フォーマット情報の値と対象ユーザ装置の識別ＩＤを用いて前記第１中間データシーケンスを送信データシーケンスに変換してユーザ装置に送信する変換送信ステップとを有し、ユーザ装置は、自局の識別ＩＤ、及び制御信号フォーマット情報の複数の所定値を用いてそれぞれ前記送信データシーケンスに対して逆変換処理を行ない、前記制御信号フォーマット情報の複数の所定値に一対一に対応する第２中間データシーケンスを再生するステップと、前記第２中間データシーケンスにおいて巡回冗長検査エラー無しと判断されたデータシーケンスが存在する場合、巡回冗長検査エラー無しと判断された第２中間データシーケンスにおけるＤＣＩ及び巡回冗長検査エラー無しと判断されたデータシーケンスに対応する制御信号フォーマット情報の所定値を取り込むステップとを含む。
【０１６４】
本発明実施例のユーザ装置は、自局の識別ＩＤ、及び制御信号フォーマット情報の複数の所定値を用いてそれぞれ送信データシーケンスに対して逆変換処理を行ない、前記制御信号フォーマット情報の複数の所定値に一対一に対応する第２中間データシーケンスを再生する再生モジュールと、前記第２中間データシーケンスにおいて巡回冗長検査エラー無しと判断されたデータシーケンスが存在する場合、巡回冗長検査エラー無しと判断された第２中間データシーケンスにおけるＤＣＩ及び巡回冗長検査エラー無しと判断されたデータシーケンスに対応する制御信号フォーマット情報の所定値を取り込む取り込むモジュールとを含み、前記送信データシーケンスは、基地局が、取得した下りリンク制御情報ＤＣＩとキャリア情報ＣＩとに基づいて巡回冗長検査（ＣＲＣ）コードを計算し、前記ＤＣＩ、ＣＩおよびＣＲＣコードから形成される第１中間データシーケンスを構成した後、制御信号フォーマット情報の値と対象ユーザ装置の識別ＩＤを用いて前記第１中間データシーケンスを変換して得たデータシーケンスである。
【０１６５】
該送信データシーケンスの形成方式について、上記記載において既に詳しく説明しているので、ここで繰り返した記載をしない。
【０１６６】
本発明のすべての実施例の方法と基地局において、シグナリングオーバーヘッドを増大させる必要がなく、ユーザ装置の識別ＩＤにどのような関係があっても、ユーザ間の公平性を保証すると共に誤検出の確率を低減させることができる。
【０１６７】
また、誤検出のランダム性により、ＰＤＣＣＨ検索空間が重なる確率を低下させることができる。従来技術案と本発明実施例の技術案について、シミュレーションを行った。
【０１６８】
シミュレーションを行う際の設定は、下記のとおりである。
【０１６９】
ＰＤＣＣＨの重合度、即ち各ＰＤＣＣＨに含まれるＣＣＥ（Control  Channel  Element）の数は、４と８である。
【０１７０】
一つのサブフレームに、ＰＤＣＣＨ伝送に用いられるＣＣＥ資源の総数は、５０である。
【０１７１】
PDCCH検索空間の開始位置とサイズは、下記文献に従い定める。
3GPP  TS  36.211,  Evolved  Universal  Terrestrial  Radio  Access  (E-UTRA);  Physical  channels  and  modulation。
3GPP  TS    36.213,  Evolved  Universal  Terrestrial  Radio  Access  (E-UTRA);  Physical  layer  procedures。
3GPP  TS  36.212,Evolved  Universal  Terrestrial  Radio  Access  (E-UTRA);  Multiplexing  and  channel  coding3GPP。
【０１７２】
対象ユーザのＩＤは、ランダムに生成する。
【０１７３】
隠し式ＣＲＣマスク処理案の場合、誤検出ユーザのＩＤが一定であるが、本発明実施例において、誤検出ユーザのＩＤは、ランダムに生成する。シミュレーションにおいて、対象ユーザと誤検出ユーザのＰＤＣＣＨ検索空間の位置とサイズをそれぞれ計算し、そして該２つのユーザの検索空間が重なるか否かを検出する。シミュレーションを複数行い、検索空間が重なる確率を統計する。
【０１７４】
シミュレーションの結果は、下記の表に示される。
2011166760.tif 000003
【０１７５】
上記表から、本発明実施例によれば、ＰＤＣＣＨ検索空間が重なる確率を効果的に低減できることがわかる。誤検出の確率がＰＤＣＣＨ検索空間が重なる確率に依存するため、本発明の実施例によれば、誤検出の確率を効果的に低減できる。
【０１７６】
以上は、本発明の好ましい実施方式に過ぎない。なお、当該分野の一般技術者にとって、本発明の原理を背離しない前提で、若干の改進や修飾が考えられる。ただし、これらの改進や修飾も本発明の保護範囲にあることが理解されよう。
【図１】
2011166760.tif 000004
【図２】
2011166760.tif 000005
【図３】
2011166760.tif 000006
【図４】
2011166760.tif 000007
【図５】
2011166760.tif 000008
【図６】
2011166760.tif 000009
【図７】
2011166760.tif 000010
【図８】
2011166760.tif 000011
【図９】
2011166760.tif 000012
【図１０】
2011166760.tif 000013